(57)【特許請求の範囲】
【請求項１】
時系列の演奏情報を順次再生可能に記憶する演奏情報記憶手段と、
楽音波形データの読み出し開始タイミングと、読み出し停止タイミングと、繰り返し読み出しに関する設定とを示す演奏情報を前記演奏情報記憶手段に記憶させる演奏情報書き込み手段と、
前記演奏情報記憶手段に記憶された時系列の演奏情報を順次再生する再生手段と、
前記再生手段により再生された演奏情報に基づき、読み出し開始タイミングの示すタイミングで楽音波形データを読み出し始めるとともに、繰り返し読み出しに関する設定の示す繰り返し態様で楽音波形データを繰り返し読み出し、読み出し停止タイミングの示すタイミングで楽音波形データの読み出しを停止する楽音波形データ読み出し手段と
を有する電子楽器。
【請求項２】
繰り返し読み出し開始位置と読み出し終了位置とで示される区間において繰り返し読み出すように設定された楽音波形データの読み出し開始指示ならびに読み出し停止指示を入力する入力手段と、
楽音波形データの読み出し開始タイミングと、読み出し停止タイミングと、繰り返し読み出し開始位置と読み出し終了位置とを含む繰り返し読み出しに関する設定とを示す時系列の演奏情報を順次再生可能に記憶する演奏情報記憶手段と、
記憶モードと再生モードとのいずれかを任意に選択可能なモード選択手段と、
前記演奏情報記憶手段に記憶された時系列の演奏情報を順次再生する再生手段と、
読み出すべき楽音波形データを記憶し、前記モード選択手段により再生モードが選択されているときに、前記再生手段により再生された演奏情報に基づき、読み出し開始タイミングの示すタイミングで楽音波形データを読み出し始めるとともに、演奏情報の繰り返し読み出しに関する設定の示す読み出し終了位置まで楽音波形データの読み出しを行なった際に、該繰り返し読み出しに関する設定の示す繰り返し読み出し開始位置から楽音波形データの読み出しを続行し、読み出し停止タイミングの示すタイミングで楽音波形データの読み出しを停止し、前記モード選択手段により記憶モードが選択されているときに、前記入力手段により入力された読み出し開始指示に応じて楽音波形データを読み出し始めるとともに、楽音波形データに設定されている読み出し終了位置まで楽音波形データの読み出しを行なった際に、楽音波形データに設定されている繰り返し読み出し開始位置から楽音波形データの読み出しを続行し、前記入力手段により入力された読み出し停止指示に応じて楽音波形データの読み出しを停止する楽音波形データ読み出し手段と、
前記モード選択手段により記憶モードが選択されているときに、前記入力手段により読み出し開始指示ならびに読み出し停止指示がなされた楽音彼形データについて、前記入力手段により入力された読み出し開始指示に応じた読み出し開始タイミングと、前記入力手段により入力された読み出し停止指示に応じた読み出し停止タイミングと、該楽音波形データに設定されている繰り返し読み出し開始位置および読み出し終了位置とを含む繰り返し読み出しに関する設定とを示す演奏情報を演奏情報記憶手段に記憶させる演奏情報書き込み手段と
を有する電子楽器。
【請求項３】
楽音波形データの読み出し開始指示ならびに読み出し停止指示を含む演奏操作情報を入力する演奏操作情報入力手段と、
楽音波形データの読み出し開始位置を設定する設定手段と、
楽音波形データの読み出し開始タイミングと、読み出し停止タイミングと、読み出し開始位置とを示す時系列の演奏情報を順次再生可能に記憶する演奏情報記憶手段と、
記憶モードと再生モードとのいずれかを任意に選択可能なモード選択手段と、
前記演奏情報記憶手段に記憶された時系列の演奏情報を順次再生する再生手段と、
読み出すべき楽音波形データを記憶し、前記モード選択手段により再生モードが選択されているときに、前記再生手段により再生された演奏情報に基づき、読み出し開始タイミングの示すタイミングで演奏情報の示す読み出し開始位置から楽音波形データを読み出し始めるとともに、読み出し停止タイミングの示すタイミングで楽音波形データの読み出しを停止し、前記モード選択手段により記憶モードが選択されているときに、前記演奏操作情報入力手段により入力された演奏操作情報の読み出し開始指示に応じて前記設定手段により設定されている読み出し開始位置から楽音波形データを読み出し始めるとともに、前記演奏操作情報入力手段により入力された演奏操作情報の読み出し停止指示に応じて該楽音波形データの読み出しを停止する楽音波形データ読み出し手段と、
前記モード選択手段により記憶モードが選択されているときに、前記演奏操作情報入力手段により入力された演奏操作情報により読み出し開始指示ならびに読み出し停止指示がなされた楽音波形データについて、前記演奏操作情報入力手段により入力された演奏操作情報の読み出し開始指示に応じた読み出し開始タイミングと、前記演奏操作情報入力手段により入力された演奏操作情報の読み出し停止指示に応じた読み出し停止タイミングと、前記設定手段により設定されている読み出し開始位置とを示す演奏情報を演奏情報記憶手段に記憶させる演奏情報書き込み手段と
を有する電子楽器。
【請求項４】
楽音波形データの読み出し開始指示ならびに読み出し停止指示を含む演奏操作情報を入力する演奏操作情報入力手段と、
前記演奏操作情報入力手段により入力された演奏操作情報に楽音波形データを対応付ける対応付け手段と、
楽音波形データの読み出し開始タイミングと、読み出し停止タイミングと、読み出し対象の楽音波形データを示す時系列の演奏情報を順次再生可能に記憶する演奏情報記憶手段と、
記憶モードと再生モードとのいずれかを任意に選択可能なモード選択手段と、
前記演奏情報記憶手段に記憶された時系列の演奏情報を順次再生する再生手段と、
読み出すべき楽音波形データを記憶し、前記モード選択手段により再生モードが選択されているときに、前記再生手段により再生された演奏情報に基づき、読み出し開始タイミングの示すタイミングで演奏情報により読み出し対象として示された楽音波形データを読み出し始めるとともに、読み出し停止タイミングの示すタイミングで楽音波形データの読み出しを停止し、前記モード選択手段により記憶モードが選択されているときに、前記演奏操作情報入力手段により入力された演奏操作情報の読み出し開始指示に応じて前記対応付け手段により該演奏操作情報に対応付けられている楽音波形データを読み出し始めるとともに、前記演奏操作情報入力手段により入力された演奏操作情報の読み出し停止指示に応じて該楽音波形データの読み出しを停止する楽音波形データ読み出し手段と、
前記モード選択手段により記憶モードが選択されているときに、前記演奏操作情報入力手段により入力された演奏操作情報により読み出し開始指示ならびに読み出し停止指示がなされた楽音波形データについて、前記演奏操作情報入力手段により入力された演奏操作情報の読み出し開始指示に応じた読み出し開始タイミングと、前記演奏操作情報入力手段により入力された演奏操作情報の読み出し停止指示に応じた読み出し停止タイミングと、前記対応付け手段により該演奏操作情報に対応付けられている楽音波形データを読み出し対象とすることを示す演奏情報を演奏情報記憶手段に記憶させる演奏情報書き込み手段と
を有する電子楽器。
【請求項５】
楽音波形データの読み出し開始指示ならびに読み出し停止指示を含む演奏操作情報を入力する演奏操作情報入力手段と、
前記演奏操作情報入力手段により入力された演奏操作情報に楽音波形データを対応付ける対応付け手段と、
前記対応付け手段による対応付けとともに、該楽音波形データに読み出し開始位置と、繰り返し読み出し開始位置と、読み出し終了位置と、繰り返し読み出しを行うか否かとを設定する設定手段と、
楽音波形データの読み出し開始タイミングと、読み出し停止タイミングと、読み出し対象の楽音波形データと、読み出し開始位置と、繰り返し読み出し開始位置と、読み出し終了位置と、繰り返し読み出しを行うか否かとを示す時系列の演奏情報を順次再生可能に記憶する演奏情報記憶手段と、
記憶モードと再生モードとのいずれかを任意に選択可能なモード選択手段と、
前記演奏情報記憶手段に記憶された時系列の演奏情報を順次再生する再生手段と、
読み出すべき楽音波形データを記憶し、前記モード選択手段により再生モードが選択されているときに、前記再生手段により再生された演奏情報に基づき、読み出し開始タイミングの示すタイミングで演奏情報により読み出し対象として示された楽音波形データを演奏情報の示す読み出し開始位置から読み出し始めるとともに、演奏情報の示す読み出し終了位置まで楽音波形データの読み出しを行った際に演奏情報が繰り返し読み出しを行うことを示す場合には、演奏情報の示す繰り返し読み出し開始位置から楽音波形データの読み出しを続行し、読み出し停止タイミングの示すタイミングで楽音波形データの読み出しを停止し、演奏情報の示す読み出し終了位置まで楽音波形データの読み出しを行った際に演奏情報が繰り返し読み出しを行わないことを示す場合には、楽音波形データの読み出しを停止し、前記モード選択手段により記憶モードが選択されているときに、前記演奏操作情報入力手段により入力された演奏操作情報の読み出し開始指示に応じて前記対応付け手段により該演奏操作情報に対応付けられている楽音波形データを、前記設定手段により設定されている読み出し開始位置から読み出し始めるとともに、楽音波形データに設定されている読み出し終了位置まで楽音波形データの読み出しを行った際に楽音波形データに繰り返し読み出しを行うことが設定されている場合には、楽音波形データに設定されている繰り返し読み出し開始位置から楽音波形データの読み出しを続行し、前記演奏操作情報入力手段により入力された演奏操作情報の読み出し停止指示に応じて該楽音波形データの読み出しを停止し、楽音波形データに設定されている読み出し終了位置まで楽音波形データの読み出しを行った際に楽音波形データに繰り返し読み出しを行わないことが設定されている場合には、楽音波形データの読み出しを停止する楽音波形データ読み出し手段と、
前記モード選択手段により記憶モードが選択されているときに、前記演奏操作情報入力手段により入力された演奏操作情報により読み出し開始指示ならびに読み出し停止指示がなされた楽音波形データについて、前記演奏操作情報入力手段により入力された演奏操作情報の読み出し開始指示に応じた読み出し開始タイミングと、前記演奏操作情報入力手段により入力された演奏操作情報の読み出し停止指示に応じた読み出し停止タイミングと、前記対応付け手段により該演奏操作情報に対応付けられている楽音波形データを読み出し対象とすることと、前記設定手段により設定されている読み出し開始位置と繰り返し読み出し開始位置と読み出し終了位置と繰り返し読み出しを行うか否かとを示す演奏情報を演奏情報記憶手段に記憶させる演奏情報書き込み手段と
を有する電子楽器。
【発明の詳細な説明】
【０００１】
【発明の属する技術分野】
本発明は、電子楽器に関し、さらに詳細には、演奏情報を記憶する際の記憶方法を改良した電子楽器に関する。
【０００２】
【発明の背景】
一般に「パッド」と称される複数の操作子のそれぞれに対応して楽音波形データを割り当てておき、パッドの操作に応じて当該操作されたパッドに割り当てられた楽音波形データを読み出すとともに、当該パッドが操作されたことを示す情報を自動演奏のための演奏情報として記憶しておき、こうして記憶した演奏情報を再生することにより対応する楽音波形データを読み出すことが可能とされた電子楽器が、本願出願人により提案されている。
【０００３】
こうした電子楽器においては、各楽音波形データに対して、読み出し開始位置、繰り返し読み出し開始位置、読み出し終了位置および繰り返し読み出しを行なうか否かが設定されているとともに、楽音波形データの読み出し態様として、以下の２種類の読み出しの態様を任意に選択することができるようになされている。
【０００４】
（１）第１の読み出しの態様（繰り返し読み出しを行うことが設定されていない場合）
楽音波形データの読み出しを読み出し開始位置から開始して、当該楽音波形データの読み出し終了位置まで読み出し終えたならば、そのまま読み出しを停止する。
【０００５】
（２）第２の読み出しの態様（繰り返し読み出しを行わないことが設定されている場合）
楽音波形データの読み出しを読み出し開始位置から開始して、当該楽音波形データの読み出し終了位置まで読み出し終えたならば、パッドの操作が解除されるまで、当該楽音波形データの繰り返し読み出し開始位置に戻って当該楽音波形データを繰り返し読み出す。即ち、パッド操作に応じて楽音波形データを読み出す場合も、記憶されている演奏情報の再生に応じて楽音波形データを読み出す場合も、楽音波形データに対して設定されている、読み出し開始位置、繰り返し読み出し開始位置、読み出し終了位置、繰り返し読み出しを行うか否か、およびパッドにいずれの楽音波形データが割り当てられているのか、の設定に基づいて楽音波形データを読み出す。
【０００６】
なお、ある楽音波形データを繰り返し読み出すことを「ループ読み出し」と称することとし、ループ読み出しの際の各繰り返しを「ループ」と称することとする。
【０００７】
ところで、上記したようなパッドの操作に応じて読み出された楽音波形データに対応する情報を自動演奏のための演奏情報として記憶する際の記憶方法としては、当該操作されたパッドに対応する楽音波形データの読み出し開始のタイミングと読み出し停止のタイミングとの２つのタイミングだけを記憶するという手法が提案されている。
【０００８】
この手法によれば、ループ読み出しを行なう場合にも、楽音波形データの読み出し開始のタイミングと読み出し停止のタイミングとの２つのタイミングだけを記憶することとなる。
【０００９】
このため、楽音波形データのある読み出し態様で演奏された演奏情報を記憶した後に、楽音波形データの別の読み出し態様で演奏された別の演奏情報を記億する目的で、楽音波形データに対して設定されている、読み出し開始位置、繰り返し読み出し開始位置、読み出し終了位置、繰り返し読み出しを行なうか否か、などの読み出し態様の設定を変更すると、以前に記憶された演奏情報を再生したときには、記憶時とは異なる態様で楽音波形データが読み出されることとなる。
即ち、記憶時と同じ状態で楽音波形データを読み出すことができなくなり、演奏情報の記憶時と再生時とで一貫性を保つことができないという問題点があった。
【００１０】
また、パッドと楽音波形データとの対応関係の設定を変更したときにも、上記したと同様の問題が生じるものであった。
【００１１】
即ち、ある楽音波形データが対応付けられているパッドの操作に基づく演奏情報を記憶した後に、そのパッドに別の楽音波形データを対応付けた別の演奏情報を記憶する目的で、パッドと楽音波形データとの対応関係の設定を変更すると、以前に記憶された演奏情報を再生したときには、記憶時とは異なる楽音波形データが読み出されることとなる。つまり、記憶時と同じ楽音波形データを読み出すことができなくなり、演奏情報の記憶時と再生時とで一貫性を保つことができないという問題点があった。
【００１２】
【発明が解決しようとする課題】
本発明は、上記したような問題点に鑑みてなされたものであり、その目的とするところは、演奏情報を記憶した後に楽音波形データの読み出し態様の設定や演奏用の操作子と楽音波形データとの対応関係の設定を変更しても、演奏情報の再生時に、記憶時と同じ態様で同じ楽音波形データの読み出しが可能となり、演奏情報の記憶時と再生時とにおいて一貫性を保つことができる電子楽器を提供しようとするものである。
【００１３】
【課題を解決するための手段】
上記目的を達成するために、本発明のうち請求項１に記載の発明は、時系列の演奏情報を順次再生可能に記憶する演奏情報記憶手段と、楽音波形データの読み出し開始タイミングと、読み出し停止タイミングと、繰り返し読み出しに関する設定とを示す演奏情報を上記演奏情報記憶手段に記憶させる演奏情報書き込み手段と、上記演奏情報記憶手段に記憶された時系列の演奏情報を順次再生する再生手段と、上記再生手段により再生された演奏情報に基づき、読み出し開始タイミングの示すタイミングで楽音波形データを読み出し始めるとともに、繰り返し読み出しに関する設定の示す繰り返し態様で楽音波形データを繰り返し読み出し、読み出し停止タイミングの示すタイミングで楽音波形データの読み出しを停止する楽音波形データ読み出し手段とを有するようにしたものである。
【００１４】
従って、本発明のうち請求項１に記載の発明によれば、楽音波形データの読み出し開始タイミングと、読み出し停止タイミングと、繰り返し読み出しに関する設定とを示す演奏情報が演奏情報記憶手段に記憶されるので、演奏情報の記憶後に楽音波形データに設定されている繰り返し読み出しに関する設定を変更しても、その変更は演奏情報には影響が及ばず、演奏情報の再生時には記憶時と同じ繰り返し態様で繰り返し読み出しが行われることになる。
【００１５】
また、本発明のうち請求項２に記載の発明は、繰り返し読み出し開始位置と読み出し終了位置とで示される区間において繰り返し読み出すように設定された楽音波形データの読み出し開始指示ならびに読み出し停止指示を入力する入力手段と、楽音波形データの読み出し開始タイミングと、読み出し停止タイミングと、繰り返し読み出し開始位置と読み出し終了位置とを含む繰り返し読み出しに関する設定とを示す時系列の演奏情報を順次再生可能に記憶する演奏情報記憶手段と、記憶モードと再生モードとのいずれかを任意に選択可能なモード選択手段と、上記演奏情報記憶手段に記憶された時系列の演奏情報を順次再生する再生手段と、読み出すべき楽音波形データを記憶し、上記モード選択手段により再生モードが選択されているときに、上記再生手段により再生された演奏情報に基づき、読み出し開始タイミングの示すタイミングで楽音波形データを読み出し始めるとともに、演奏情報の繰り返し読み出しに関する設定の示す読み出し終了位置まで楽音波形データの読み出しを行なった際に、該繰り返し読み出しに関する設定の示す繰り返し読み出し開始位置から楽音波形データの読み出しを続行し、読み出し停止タイミングの示すタイミングで楽音波形データの読み出しを停止し、上記モード選択手段により記憶モードが選択されているときに、上記入力手段により入力された読み出し開始指示に応じて楽音波形データを読み出し始めるとともに、楽音波形データに設定されている読み出し終了位置まで楽音波形データの読み出しを行なった際に、楽音波形データに設定されている繰り返し読み出し開始位置から楽音波形データの読み出しを続行し、上記入力手段により入力された読み出し停止指示に応じて楽音波形データの読み出しを停止する楽音波形データ読み出し手段と、上記モード選択手段により記憶モードが選択されているときに、上記入力手段により読み出し開始指示ならびに読み出し停止指示がなされた楽音彼形データについて、上記入力手段により入力された読み出し開始指示に応じた読み出し開始タイミングと、上記入力手段により入力された読み出し停止指示に応じた読み出し停止タイミングと、該楽音波形データに設定されている繰り返し読み出し開始位置および読み出し終了位置とを含む繰り返し読み出しに関する設定とを示す演奏情報を演奏情報記憶手段に記憶させる演奏情報書き込み手段とを有するようにしたものである。
【００１６】
従って、本発明のうち請求項２に記載の発明によれば、記憶モードにおいては、楽音波形データの読み出し開始指示ならびに読み出し停止指示を入力すると、読み出し開始指示ならびに読み出し停止指示がなされた楽音彼形データについて、読み出し開始指示に応じた読み出し開始タイミングと、読み出し停止指示に応じた読み出し停止タイミングと、該楽音波形データに設定されている繰り返し読み出し開始位置および読み出し終了位置とを示す演奏情報が演奏情報記憶手段に記憶されることになる。即ち、本発明のうち請求項２に記載の発明によれば、楽音波形データの読み出し開始指示ならびに読み出し停止指示を入力するだけで、繰り返し読み出しに関する設定を示す演奏情報が記憶されることになる。
【００１７】
なお、楽音波形データに対する繰り返し読み出しに関する設定は、演奏者によって任意に設定されるものでもよいし、記憶手段から設定内容が読み出されることによるものでもよい。
【００１８】
また、本発明のうち請求項３に記載の発明は、楽音波形データの読み出し開始指示ならびに読み出し停止指示を含む演奏操作情報を入力する演奏操作情報入力手段と、楽音波形データの読み出し開始位置を設定する設定手段と、楽音波形データの読み出し開始タイミングと、読み出し停止タイミングと、読み出し開始位置とを示す時系列の演奏情報を順次再生可能に記憶する演奏情報記憶手段と、記憶モードと再生モードとのいずれかを任意に選択可能なモード選択手段と、上記演奏情報記憶手段に記憶された時系列の演奏情報を順次再生する再生手段と、読み出すべき楽音波形データを記憶し、上記モード選択手段により再生モードが選択されているときに、上記再生手段により再生された演奏情報に基づき、読み出し開始タイミングの示すタイミングで演奏情報の示す読み出し開始位置から楽音波形データを読み出し始めるとともに、読み出し停止タイミングの示すタイミングで楽音波形データの読み出しを停止し、上記モード選択手段により記憶モードが選択されているときに、上記演奏操作情報入力手段により入力された演奏操作情報の読み出し開始指示に応じて上記設定手段により設定されている読み出し開始位置から楽音波形データを読み出し始めるとともに、上記演奏操作情報入力手段により入力された演奏操作情報の読み出し停止指示に応じて該楽音波形データの読み出しを停止する楽音波形データ読み出し手段と、上記モード選択手段により記憶モードが選択されているときに、上記演奏操作情報入力手段により入力された演奏操作情報により読み出し開始指示ならびに読み出し停止指示がなされた楽音波形データについて、上記演奏操作情報入力手段により入力された演奏操作情報の読み出し開始指示に応じた読み出し開始タイミングと、上記演奏操作情報入力手段により入力された演奏操作情報の読み出し停止指示に応じた読み出し停止タイミングと、上記設定手段により設定されている読み出し開始位置とを示す演奏情報を演奏情報記憶手段に記憶させる演奏情報書き込み手段とを有するようにしたものである。
【００１９】
従って、本発明のうち請求項３に記載の発明によれば、楽音波形データの読み出し開始位置が楽音波形データおよび演奏情報に設定されており、演奏操作情報入力手段によって入力された演奏操作情報により楽音波形データを読み出すときには楽音波形データの読み出し開始位置の設定が使用され、演奏情報を再生して楽音波形データを読み出すときには演奏情報の読み出し開始位置の設定が使用される。このため、本発明のうち請求項３に記載の発明によれば、演奏情報の記憶後に、楽音波形データに設定されている楽音波形データの読み出し開始位置を示す情報を変更しても、その変更は演奏情報には影響が及ばず、演奏情報の再生時には記憶時と同じ態様で楽音波形データの読み出しが行われることになる。
【００２０】
なお、楽音波形データに対する読み出し開始位置の設定は、演奏者によって任意に設定されるものでもよいし、記憶手段から設定内容が読み出されることによるものでもよい。
【００２１】
また、本発明のうち請求項４に記載の発明は、楽音波形データの読み出し開始指示ならびに読み出し停止指示を含む演奏操作情報を入力する演奏操作情報入力手段と、上記演奏操作情報入力手段により入力された演奏操作情報に楽音波形データを対応付ける対応付け手段と、楽音波形データの読み出し開始タイミングと、読み出し停止タイミングと、読み出し対象の楽音波形データを示す時系列の演奏情報を順次再生可能に記憶する演奏情報記憶手段と、記憶モードと再生モードとのいずれかを任意に選択可能なモード選択手段と、上記演奏情報記憶手段に記憶された時系列の演奏情報を順次再生する再生手段と、読み出すべき楽音波形データを記憶し、上記モード選択手段により再生モードが選択されているときに、上記再生手段により再生された演奏情報に基づき、読み出し開始タイミングの示すタイミングで演奏情報により読み出し対象として示された楽音波形データを読み出し始めるとともに、読み出し停止タイミングの示すタイミングで楽音波形データの読み出しを停止し、上記モード選択手段により記憶モードが選択されているときに、上記演奏操作情報入力手段により入力された演奏操作情報の読み出し開始指示に応じて上記対応付け手段により該演奏操作情報に対応付けられている楽音波形データを読み出し始めるとともに、上記演奏操作情報入力手段により入力された演奏操作情報の読み出し停止指示に応じて該楽音波形データの読み出しを停止する楽音波形データ読み出し手段と、上記モード選択手段により記憶モードが選択されているときに、上記演奏操作情報入力手段により入力された演奏操作情報により読み出し開始指示ならびに読み出し停止指示がなされた楽音波形データについて、上記演奏操作情報入力手段により入力された演奏操作情報の読み出し開始指示に応じた読み出し開始タイミングと、上記演奏操作情報入力手段により入力された演奏操作情報の読み出し停止指示に応じた読み出し停止タイミングと、上記対応付け手段により該演奏操作情報に対応付けられている楽音波形データを読み出し対象とすることを示す演奏情報を演奏情報記憶手段に記憶させる演奏情報書き込み手段とを有するようにしたものである。
【００２２】
従って、本発明のうち請求項４に記載の発明によれば、いずれの楽音波形データを読み出しの対象とするかが、演奏操作情報入力手段によって設定されるとともに、演奏情報にも設定されており、演奏操作情報入力手段によって入力された演奏操作情報により楽音波形データを読み出すときにはその演奏操作情報入力手段による設定が使用され、演奏情報を再生して楽音波形データを読み出すときには演奏情報の設定が使用される。このため、本発明のうち請求項４に記載の発明によれば、演奏情報の記憶後に、演奏操作情報入力手段の読み出し対象の楽音波形データに関する設定を変更しても、その変更は演奏情報には影響が及ばず、演奏情報の再生時には記憶時と同じ楽音波形データの読み出しが行われることになる。
【００２３】
なお、演奏操作情報と楽音波形データとの対応付けの設定は、演奏者によって任意に設定されるものでもよいし、記憶手段から設定内容が読み出されることによるものでもよい。
【００２４】
また、本発明のうち請求項５に記載の発明は、楽音波形データの読み出し開始指示ならびに読み出し停止指示を含む演奏操作情報を入力する演奏操作情報入力手段と、上記演奏操作情報入力手段により入力された演奏操作情報に楽音波形データを対応付ける対応付け手段と、上記対応付け手段による対応付けとともに、該楽音波形データに読み出し開始位置と、繰り返し読み出し開始位置と、読み出し終了位置と、繰り返し読み出しを行うか否かとを設定する設定手段と、楽音波形データの読み出し開始タイミングと、読み出し停止タイミングと、読み出し対象の楽音波形データと、読み出し開始位置と、繰り返し読み出し開始位置と、読み出し終了位置と、繰り返し読み出しを行うか否かとを示す時系列の演奏情報を順次再生可能に記憶する演奏情報記憶手段と、記憶モードと再生モードとのいずれかを任意に選択可能なモード選択手段と、上記演奏情報記憶手段に記憶された時系列の演奏情報を順次再生する再生手段と、読み出すべき楽音波形データを記憶し、上記モード選択手段により再生モードが選択されているときに、上記再生手段により再生された演奏情報に基づき、読み出し開始タイミングの示すタイミングで演奏情報により読み出し対象として示された楽音波形データを演奏情報の示す読み出し開始位置から読み出し始めるとともに、演奏情報の示す読み出し終了位置まで楽音波形データの読み出しを行った際に演奏情報が繰り返し読み出しを行うことを示す場合には、演奏情報の示す繰り返し読み出し開始位置から楽音波形データの読み出しを続行し、読み出し停止タイミングの示すタイミングで楽音波形データの読み出しを停止し、演奏情報の示す読み出し終了位置まで楽音波形データの読み出しを行った際に演奏情報が繰り返し読み出しを行わないことを示す場合には、楽音波形データの読み出しを停止し、上記モード選択手段により記憶モードが選択されているときに、上記演奏操作情報入力手段により入力された演奏操作情報の読み出し開始指示に応じて上記対応付け手段により該演奏操作情報に対応付けられている楽音波形データを、上記設定手段により設定されている読み出し開始位置から読み出し始めるとともに、楽音波形データに設定されている読み出し終了位置まで楽音波形データの読み出しを行った際に楽音波形データに繰り返し読み出しを行うことが設定されている場合には、楽音波形データに設定されている繰り返し読み出し開始位置から楽音波形データの読み出しを続行し、上記演奏操作情報入力手段により入力された演奏操作情報の読み出し停止指示に応じて該楽音波形データの読み出しを停止し、楽音波形データに設定されている読み出し終了位置まで楽音波形データの読み出しを行った際に楽音波形データに繰り返し読み出しを行わないことが設定されている場合には、楽音波形データの読み出しを停止する楽音波形データ読み出し手段と、上記モード選択手段により記憶モードが選択されているときに、上記演奏操作情報入力手段により入力された演奏操作情報により読み出し開始指示ならびに読み出し停止指示がなされた楽音波形データについて、上記演奏操作情報入力手段により入力された演奏操作情報の読み出し開始指示に応じた読み出し開始タイミングと、上記演奏操作情報入力手段により入力された演奏操作情報の読み出し停止指示に応じた読み出し停止タイミングと、上記対応付け手段により該演奏操作情報に対応付けられている楽音波形データを読み出し対象とすることと、上記設定手段により設定されている読み出し開始位置と繰り返し読み出し開始位置と読み出し終了位置と繰り返し読み出しを行うか否かとを示す演奏情報を演奏情報記憶手段に記憶させる演奏情報書き込み手段とを有するようにしたものである。
【００２５】
従って、本発明のうち請求項５に記載の発明によれば、繰り返し読み出しを行うか否かが、楽音波形データおよび演奏情報に設定されており、演奏操作情報入力手段によって入力された演奏操作情報により楽音波形データを読み出すときには楽音波形データの設定が使用され、演奏情報を再生して楽音波形データを読み出すときには演奏情報の設定が使用される。このため、本発明のうち請求項５に記載の発明によれば、演奏情報の記憶後に、楽音波形データに設定されている繰り返し読み出しを行うか否かを示す情報を変更しても、その変更は演奏情報には影響が及ばず、演奏情報の再生時には記憶時と同じ態様で楽音波形データの読み出しが行われることになる。
【００２６】
なお、演奏操作情報と楽音波形データとの対応付けの設定および楽音波形データに対する楽音波形データの読み出し態様に関する設定は、演奏者によって任意に設定されるものでもよいし、記憶手段から設定内容が読み出されることによるものでもよい。
【００２７】
【発明の実施の形態】
以下、添付の図面を参照しながら、本発明による電子楽器の実施の形態の一例を詳細に説明するが、本発明による電子楽器においては、楽音波形データの読み出しが指示される毎に、当該読み出しを指示された楽音波形データの読み出しに関するデータ（「楽音波形データ」、「スタート・ポイント」、「ループ・ポイント」、「エンド・ポイント」ならびに「ループ」）を演奏情報の組としてそれぞれ記憶するようにしているので、こうしたデータを参照することにより、演奏情報の記憶時に指定された楽音波形データが、記憶時に設定された読み出し開始位置から、記憶時に設定されたループ読み出し態様で読み出されるものである。図１には、こうした本発明による電子楽器の全体構成を表すブロック構成図が示されている。
【００２８】
この電子楽器は、その全体の動作の制御を中央処理装置（ＣＰＵ）１０を用いて制御するように構成されており、このＣＰＵ１０と、プログラム・メモリ１２と、ワーキング・メモリ１４と、演奏情報メモリ１６と、波形メモリ１８と、操作パネル２０と、デジタル／アナログ（Ｄ／Ａ）変換器２２とを有して構成されている。
【００２９】
ここで、操作パネル２０には、図１上において数字１〜１６により示す１６個の押しボタンであるパッド３０（なお、パッド３０は、図１上における数字１〜１６に対応して１〜１６の番号が付けられて管理されている。）と、この電子楽器のモードとして記憶モードを指定するための記憶（ＲＥＣ）操作子３２と、この電子楽器のモードとして再生モードを指定するための再生（ＰＬＡＹ）操作子３４と、この電子楽器のモードとして記憶モードあるいは再生モードからパッド演奏モードに復帰するための停止（ＳＴＯＰ）操作子３６と、各種の設定を変更したり記憶されている演奏情報を編集するためなどに使用されるその他の操作子群３８と、上記した各種の操作子の操作による設定状態や演奏情報の編集のための表示などを行う画面表示器４０とが設けられている。
【００３０】
即ち、この電子楽器においては、操作パネル２０に設けられている各種の操作子の操作状態はＣＰＵ１０によって監視され、操作パネル２０に設けられている画面表示器４０の表示内容はＣＰＵ１０によって制御されるものである。
【００３１】
なお、この電子楽器においては、操作パネル２０に設けられているパッド３０を操作（押圧、押圧解除）すると、当該パッド３０が操作（押圧、押圧解除）されたことを示す演奏操作情報が発生されることになる。こうした演奏操作情報は、後述するパッド３０に設定された楽音波形データの読み出し態様に応じて、楽音波形データの読み出し開始指示あるいは読み出し停止指示と解釈される。
【００３２】
そして、上記した電子楽器の各構成要素についてさらに説明すると、プログラム・メモリ１２はＣＰＵ１０のプログラムを予め記憶したメモリであり、ワーキング・メモリ１４はＣＰＵ１０のワーキング用のメモリであり、各種の設定もこのメモリに記憶される。
【００３３】
また、演奏情報メモリ１６は、操作パネル２０に設けられた１６個のパッド３０の操作に基づく演奏情報を記憶するメモリである。
【００３４】
さらに、波形メモリ１８は、デジタル・データたる１００種類の楽音波形データを予め記憶したメモリである。波形メモリ１８に記憶された１００種類の楽音波形データには、１〜１００の番号が付けられて管理されている。操作パネル２０のその他の操作子群３８の操作により、操作バネル２０の１６個のパッド３０のそれぞれに任意の楽音波形データを対応付ける設定を行うことができる。
【００３５】
なお、波形メモリ１８に記憶される楽音波形データとしては、所謂、「フレーズ」と称される様々な楽器をある程度の時間（例えば、ある楽曲の２小節分の時間）にわたって演奏して得られた楽器音や、管楽器を１回だけ鳴らした場合あるいは弦楽器を１回だけ弾弦した場合などに得られる楽器音や、歌声や掛け声などの音声や、雨音などの効果音などが挙げられる。即ち、波形メモリ１８には、楽音波形データとしてどのような音のデータを記憶しておいてもよく、特に楽器の音のデータを記憶する必要はない。
【００３６】
そして、この電子楽器においては、波形メモリ１８に記憶された楽音波形データはＣＰＵ１０により読み出され、デジタル／アナログ変換器２２によりアナログ信号に変換されて出力されることになり、アンプやスピーカーなどから構成されるサウンド・システム（図示せず）を介して聴取し得る音として空間に放音されるものである。
【００３７】
次に、この電子楽器の各モードにおける動作について説明すると、まず、パッド演奏モードにおいては、パッド３０の操作に応じて、操作されたパッド３０に対応する楽音波形データがＣＰＵ１０の制御によって波形メモリ１８から読み出される。
【００３８】
ここで、パッド３０を操作したときの楽音波形データの読み出しの態様としては、以下に示す「ＧＡＴＥ（ゲート）」、「ＴＲＩＧＧＥＲ（トリガ）」および「ＤＲＵＭ（ドラム）」の３種類の態様が設定されている。
【００３９】
（１）ＧＡＴＥ（ゲート）
パッド３０の押圧に応じて楽音波形データの読み出しが開始され、パッド３０の押圧を解除する、即ち、パッド３０の押圧を止めると楽音波形データの読み出しが停止される。
【００４０】
（２）ＴＲＩＧＧＥＲ（トリガ）
パッド３０の押圧に応じて楽音波形データの読み出しが開始され、パッド３０の押圧が解除されても楽音波形データの読み出しが続行され、再度のパッド３０の押圧に応じて楽音波形データの読み出しが停止される。
（３）ＤＲＵＭ（ドラム）
パッド３０の押圧に応じて楽音波形データの読み出しが開始され、楽音波形データに設定されているエンド・ポイント（後述する）まで読み出しが行われたときに、自動的に楽音波形データの読み出しが停止される。
【００４１】
なお、この電子楽器においては、各パッド３０毎にＧＡＴＥ、ＴＲＩＧＧＥＲあるいはＤＲＵＭのいずれの読み出し態様とするかが予め設定されており、また、その他の操作子群３８の操作によって、各パッド３０毎に読み出し態様の設定を任意に変更可能となされている。
【００４２】
ここで、楽音波形データについて説明すると、各楽音波形データには、図２に示すように、以下に説明するスタート・ポイント、エンド・ポイントおよびループ・ポイントが予め設定されているとともに、ループ読み出しを行うか否かが予め設定されており、各楽音波形データへのこれらの設定はその他の操作子群３８の操作により任意に設定変更が可能となされている。
【００４３】
スタート・ポイントは、パッド３０の操作に応じた楽音波形データの読み出し開始位置を示すものであり、その他の操作子群３８の操作によりスタート・ポイントを楽音波形データの任意の位置、例えば、楽音波形データの途中に設定すると、楽音波形データの途中からの読み出し開始も可能となる。
【００４４】
エンド・ポイントは、パッド３０の操作に応じた楽音波形データの読み出し停止位置を示すものであり、その他の操作子群３８の操作によりエンド・ポイントを楽音波形データの任意の位置、例えば、楽音波形データの途中に設定すると、楽音波形データの途中での読み出しの停止も可能となる。
【００４５】
ループ・ポイントは、パッド３０の操作に応じた楽音波形データのループ読み出しを行う場合の２回目以降の繰り返しの先頭、即ち、ループの読み出し開始位置を示すものである。
【００４６】
そして、これらのスタート・ポイント、エンド・ポイントならびにループ・ポイントは、楽音波形データの先頭からの相対位置を示す情報で指定されるようになされている。
【００４７】
ループ読み出しを行うか否かの設定は、パッド３０の操作に応じて楽音波形データをループ読み出しするか否かを示すものである。
【００４８】
なお、ループ・ポイントの位置は、スタート・ポイントの位置よりも前でも後でもあるいは同じでもよい。しかしながら、エンド・ポイントの位置は、スタート・ポイントの位置およびループ・ポイントの位置のいずれよりも後にあるように設定される必要がある。
【００４９】
従って、ループ読み出しを行う場合には、楽音波形データをエンド・ポイントまで読み出したときに、ループ・ポイントまで戻って楽音波形データの読み出しを続行するという動作が繰り返されることになる。
【００５０】
なお、パッド３０を操作したときの楽音波形データの読み出しの態様としてＤＲＵＭが設定されているパッド３０に対応する楽音波形データの読み出しに関しては、たとえループ読み出しを行う設定が行なわれていてもループ読み出しが行われることはない。
【００５１】
以上のことから、パッド３０を操作した際の楽音波形データの読み出され方は、以下に示すようになる。
【００５２】
（１）ＧＡＴＥであってループ読み出しでない場合
パッド３０の押圧に応じてスタート・ポイントから楽音波形データの読み出しが開始され、パッド３０の押圧を解除するか、あるいは楽音波形データの読み出しがエンド・ポイントまで行われたときに、楽音波形データの読み出しが停止される。
【００５３】
（２）ＧＡＴＥであってループ読み出しである場合
パッド３０の押圧に応じてスタート・ポイントから楽音波形データの読み出しが開始され、パッド３０の押圧を解除すると読み出しが停止される。そして、楽音波形データの読み出しがエンド・ポイントまで行われたときには、読み出し位置がループ・ポイントによって指定される位置に戻されて、楽音波形データの読み出しが続行される。
【００５４】
（３）ＴＲＩＧＧＥＲであってループ読み出しでない場合
パッド３０の押圧に応じてスタート・ポイントから楽音波形データの読み出しが開始され、パッド３０の押圧を解除しても読み出しは続行される。そして、再度パッド３０を押圧するか、あるいは楽音波形データの読み出しがエンド・ポイントまで行われたときに、楽音波形データの読み出しが停止される。
【００５５】
（４）ＴＲＩＧＧＥＲであってループ読み出しである場合
パッド３０の押圧に応じてスタート・ポイントから楽音波形データの読み出しが開始され、パッド３０の押圧を解除しても読み出しは続行される。そして、再度パッド３０を押圧すると読み出しが停止される。また、楽音波形データの読み出しがエンド・ポイントまで行われたときには、読み出し位置がループ・ポイントによって指定される位置に戻されて、楽音波形データの読み出しが続行される。
【００５６】
（５）ＤＲＵＭである場合
パッド３０の押圧に応じてスタート・ポイントから楽音波形データの読み出しが開始され、パッド３０の押圧を解除しても読み出しは続行される。そして、楽音波形データの読み出しがエンド・ポイントまで行われたときに、楽音波形データの読み出しが停止される。また、ループ読み出しの設定は無視される。
【００５７】
次に、記憶モードについて説明すると、記憶モードにおいては、パッド演奏モードと同様にパッド３０の操作に応じて楽音波形データの読み出しを行うとともに、楽音波形データの読み出し開始タイミングならびに楽音波形データの読み出し停止タイミングが、演奏情報として演奏情報メモリ１６に記憶される。
【００５８】
また、再生モードについて説明すると、再生モードにおいては、演奏情報メモリ１６に記憶されている演奏情報が読み出され、楽音波形データの読み出し開始タイミングに応じて楽音波形データの読み出しを開始し、楽音波形データの読み出し停止タイミングに応じて楽音波形データの読み出しを停止する。
【００５９】
ここで、図３を参照しながら演奏情報メモリ１６について説明すると、演奏情報メモリ１６には、時間順に情報番号１、２、３・・・の番号が付けられた記憶領域が設けられており、各記憶領域には１組の演奏情報が記憶される。そして、各記憶領域に記憶される１組の演奏情報は、「楽音波形データ」、「スタート・ポイント」、「ループ・ポイント」、「エンド・ポイント」、「ループ」、「読出開始時刻」および「読出持続時間」の７つのデータから構成されている。
【００６０】
これら７つのデータを具体的に説明すると、「楽音波形データ」は読み出される楽音波形データを示すデータであり、各楽音波形データに付けられている１〜１００のいずれかの番号が記憶されるものである。
【００６１】
「スタート・ポイント」、「ループ・ポイント」、「エンド・ポイント」ならびに「ループ」には、楽音波形データにおけるスタート・ポイント、ループ・ポイント、エンド・ポイントならびにループ読み出しを行うか否かの各設定がそれぞれコピーされるものである。
【００６２】
「読出開始時刻」は楽音波形データの読み出し開始時刻を示すデータであり、「読出持続時間」は楽音波形データの読み出し開始から読み出し停止までの持続時間を示すデータである。なお、「読出開始時刻」は、記憶モードとされた後に最初にパッド３０が押圧された時点を基準時刻として、当該基準時刻の時点からの経過時間を示している。
【００６３】
また、この電子楽器においては、同時に１つの楽音波形データの読み出しのみが可能となされており、あるパッド３０の操作に応じてある楽音波形データを読み出している最中には、別のパッド３０の操作を無効としている。即ち、この電子楽器においては、同時に２つ以上の楽音波形データが読み出されることはない。
【００６４】
ここで、演奏情報メモリ１６への記憶の方法については、さらに図４乃至図６に示すフローチャートを参照しながら後に詳細に説明するが、その概要を説明すると、パッド３０の押圧により楽音波形データの読み出しが開始されたときには新たな１組の演奏情報が追加されることになり、当該パッド３０に対応する楽音波形データを示す番号が「楽音波形データ」として記憶され、当該パッド３０に対応する楽音波形データのスタート・ポイント、ループ・ポイント、エンド・ポイントならびにループ読み出しを行うか否かの各設定が、「スタート・ポイント」、「ループ・ポイント」、「エンド・ポイント」ならびに「ループ」にそれぞれコピーされ、さらに当該パッド３０が押圧された時刻、即ち、当該スタート・ポイントの時点の時刻が「読出開始時刻」として記憶される。
【００６５】
そして、読み出しを行っている楽音波形データに対応するパッド３０の押圧が解除されたとき（ＧＡＴＥの場合）、あるいは当該パッド３０が再度押圧されたとき（ＴＲＩＧＧＥＲの場合）、あるいは当該楽音波形データがエンド・ポイントまで読み出されたとき（ＤＲＵＭの場合）に、読み出し開始からその時点までの経過時間が最新の演奏情報に対して「読出持続時間」として記憶される。
【００６６】
ところで、パッド３０の押圧された順にその押圧に対応する演奏情報が記憶されるため、演奏情報メモリ１６には演奏情報が「読出開始時刻」の順に格納されていることとなる。従って、演奏情報を読み出すときには演奏情報メモリ１６に格納されている順に演奏情報を読み出せばその演奏情報の「読出開始時刻」の順に読み出すことができるが、演奏情報をその演奏情報の読み出されるべき順番に読み出すことができれば時系列の演奏情報として取り扱うことができるものであり、演奏情報メモリ１６に演奏情報の読み出されるべき順に演奏情報が格納されている必要はない。例えば、演奏情報メモリ１６に「読出開始時刻』の順に演奏情報が格納されていない場合には、演奏情報に付けられている「読出開始時刻ｊを参照し、それが示す時刻順に演奏情報を読み出すようにすればよい。
【００６７】
次に、図４乃至図６のフローチャートを参照しながら、本発明に係わる記憶モードにおける処理について詳細に説明する。なお、パッド演奏モードならびに再生モードの処理については、本発明に係わるものではないのでその詳細な説明は省略し概要のみを説明することとする。
【００６８】
まず、図４に示すパッド押圧（ＲＥＣ）ルーチンのフローチャートを参照しながら、記憶モードにおいていずれかのパッド３０の押圧がなされたことを示す演奏操作情報が発生されたときに行なわれる処理について説明する。
【００６９】
このパッド押圧（ＲＥＣ）ルーチンにおいては、まず、押圧されたパッド３０がＧＡＴＥ、ＤＲＵＭあるいはＴＲＩＧＧＥＲのいずれに設定されているかを判別する（ステップＳ４０２）。
【００７０】
ステップＳ４０２において、ＧＡＴＥあるいはＤＲＵＭが設定されていると判別された場合には、発生された演奏操作情報が楽音波形データの読み出し開始指示と解釈され、押圧されたパッド３０に対応する楽音波形データをスタート・ポイントから読み出し始める（ステップＳ４０４）。なお、これ以降、サンプリング周期毎に実行される図示されない別の処理により、楽音波形データがエンド・ポイントに向かって１サンプルずつ読み進められる。
【００７１】
ステップＳ４０４に続いて、演奏情報メモリ１６の最新の演奏情報の組の次の演奏情報の組に、ステップＳ４０２において読み出しを開始された楽音波形データを示す番号を「楽音波形データ」として記憶し、当該楽音波形データに設定されているスタート・ポイント、ループ・ポイント、エンド・ポイントならびにループ読み出しを行うか否かの各設定を「スタート・ポイント」、「ループ・ポイント」、「エンド・ポイント」ならびに「ループ」として記憶し、パッド３０が押圧された時刻、即ち、当該スタート・ポイントの時点の時刻を「読出開始時刻」として記憶する（ステップＳ４０６）。
さらに、「経過時間」を示す変数の値を０にクリアし、この変数のカウント・アップを開始し（ステップＳ４０８）、このパッド押圧（ＲＥＣ）ルーチンを終了する。これ以降、所定周期毎に実行される図示されない別の処理により、経過時間を示す変数が１ずつ増加される。なお、「経過時間」を示す変数の値は、後に「読出持続時間」として演奏情報メモリ１６に記憶される。
【００７２】
また、ステップＳ４０２において、ＴＲＩＧＧＥＲが設定されていると判別された場合には、押圧されたパッド３０に対応する楽音波形データが読み出し中のものであるか否かを判別し（ステップＳ４１０）、読み出し中のものでないと判別された場合には、発生された演奏操作情報が楽音波形データの読み出し開始指示と解釈され、ステップＳ４０２でＧＡＴＥあるいはＤＲＵＭが設定されていると判別された場合と同じ処理を行う。
【００７３】
一方、ステップＳ４１０において、読み出し中のものであると判別された場合には、発生された演奏操作情報が楽音波形データの読み出し停止指示と解釈され読み出し中の楽音波形データの読み出しを停止し（ステップＳ４１２）、「経過時間」を示す変数の値を演奏情報メモリ１６の最新の演奏情報の組の「読出持続時間」として記憶し（ステップＳ４１４）、このパッド押圧（ＲＥＣ）ルーチンを終了する。
【００７４】
なお、パッド演奏モードにおいていずれかのパッド３０の押圧がなされたときには、図４に示した処理のなかで、演奏情報メモリ１６に各種データを記憶する処理（ステップＳ４０６およびステップＳ４１４）ならびに「経過時間」をクリアしカウント・アップを開始する処理（ステップＳ４０８）を除く処理のみを行なう。
【００７５】
次に、図５に示すエンド・ポイント到達（ＲＥＣ）ルーチンのフローチャートを参照しながら、記憶モードにおいて読み出し中の楽音波形データの読み出し位置がその楽音波形データのエンド・ポイントに到達したときに行なわれる処理について説明する。
【００７６】
このエンド・ポイント到達（ＲＥＣ）ルーチンにおいては、まず、エンド・ポイントに到達した楽音波形データに対応するパッド３０がＧＡＴＥ、ＴＲＩＧＧＥＲあるいはＤＲＵＭのいずれに設定されているかを判別する（ステップＳ５０２）。
【００７７】
ステップＳ５０２において、ＧＡＴＥあるいはＴＲＩＧＧＥＲが設定されていると判別された場合には、エンド・ポイントに到達した楽音波形データにループ読み出しを行なうことが設定されているか否かを判別する（ステップＳ５０４）。
【００７８】
ステップＳ５０４において、ループ読み出しを行なうとの設定がなされていると判別された場合には、エンド・ポイントに到達した楽音波形データの読み出し位置をループ・ポイントへ移動する（ステップＳ５０６）。これにより、エンド・ポイントに到達した楽音波形データは、ループ・ポイントからエンド・ポイントに向かって再度読み出されるようになる。
【００７９】
ステップＳ５０６の処理を終了すると、このエンド・ポイント到達（ＲＥＣ）ルーチンを終了する。
【００８０】
一方、ステップＳ５０２においてＤＲＵＭが設定されていると判別された場合、あるいは、ステップＳ５０２においてＧＡＴＥあるいはＴＲＩＧＧＥＲが設定されていると判別されるとともに、ステップＳ５０４においてループ読み出しを行なうことが設定されてないと判別された場合には、エンド・ポイントに到達した楽音波形データの読み出しを停止し（ステップＳ５１０）、「経過時間」を示す変数の値を演奏情報メモリ１６の最新の演奏情報の組の「読出持続時間」として記憶し（ステップＳ５１２）、このエンド・ポイント到達（ＲＥＣ）ルーチンを終了する。
【００８１】
なお、パッド演奏モードにおいて、読み出し中の楽音波形データの読み出し位置が当該楽音波形データのエンド・ポイントに到達したときには、図５に示した処理のなかで、演奏情報メモリに「読出持続時間」を記憶する処理（ステップＳ５１２）を除く処理のみを行なう。
【００８２】
次に、図６に示すパッド押圧解除（ＲＥＣ）ルーチンのフローチャートを参照しながら、記憶モードにおいていずれかのパッド３０の押圧が解除されたことを示す演奏操作情報が発生されたときに行なわれる処理について説明する。
【００８３】
このパッド押圧解除（ＲＥＣ）ルーチンにおいては、まず、押圧が解除されたパッド３０がＧＡＴＥ、ＴＲＩＧＧＥＲあるいはＤＲＵＭのいずれに設定されているかを判別する（ステップＳ６０２）。
【００８４】
ステップＳ６０２において、ＧＡＴＥが設定されていると判別された場合には、発生された演奏操作情報が楽音波形データの読み出し停止指示と解釈され、押圧が解除されたパッド３０に対応する楽音波形データが読み出し中のものであるか否かを判別し（ステップＳ６０４）、押圧が解除されたパッド３０に対応する楽音波形データが読み出し中のものであると判別された場合には、楽音波形データの読み出しを停止する（ステップＳ６０６）。
【００８５】
それから、「経過時間」を示す変数の値を演奏情報メモリ１６の最新の演奏情報の組の「読出持続時間」として記憶し（ステップＳ６０８）、このパッド押圧解除（ＲＥＣ）ルーチンを終了する。
【００８６】
一方、ステップＳ６０２において、ＴＲＩＧＧＥＲあるいはＤＲＵＭが設定されていると判別された場合、あるいは、ステップＳ６０２においてＧＡＴＥが設定されていると判別されるとともに、ステップＳ６０４において押圧が解除されたパッド３０に対応する楽音波形データが読み出し中のものでないと判別された場合には、何らの処理も行うことなくこのパッド押圧解除（ＲＥＣ）ルーチンを終了する。
【００８７】
なお、パッド演奏モードにおいていずれかのパッド３０の押圧が解除されたときには、図６に示した処理のなかで、演奏情報メモリ１６に「読出持続時間」を記憶する処理（ステップＳ６０８）を除く処理のみを行なう。
【００８８】
また、停止（ＳＴＯＰ）操作子３６が操作されて、記憶モードからパッド演奏モードへの復帰が指示された場合には、演奏情報メモリ１６のいずれの演奏情報の組まで記憶がなされたかを記録し、記憶モードからパッド演奏モードに復帰する。
【００８９】
次に、再生モードにおける処理を説明すると、この再生モードの処理としては周知の自動演奏の技術と同様な処理を行えばよい。
【００９０】
即ち、再生モードにおいては、演奏情報メモリ１６の先頭から最後まで順に演奏情報が読み出され、読み出された演奏情報に基づいて楽音波形データが読み出される。
【００９１】
より詳細には、再生（ＰＬＡＹ）操作子３４の操作に応じて先頭の演奏情報の組を読み出し対象とし、再生（ＰＬＡＹ）操作子３４を操作した時点を基準時刻として、当該時点からの経過時間すなわち再生開始を基準とした時刻の計測を開始する。そして、読み出し対象の演奏情報の組の「読出開始時刻」がこの時刻に一致したら、その演奏情報の組の「楽音波形データ」の示す楽音波形データをその演奏情報の組の「スタート・ポイント」から読み出し始めるとともに、その時点からの経過時間の計測を開始する。
【００９２】
それから、読み出し対象の演奏情報の組の「読出持続時間」がその経過時間に一致したら、読み出し中の楽音波形データの読み出しを停止し、次の演奏情報の組に関して読み出しタイミングとなるのを待ち、読み出しタイミングとなったら上記したと同様の処理を繰り返す。
【００９３】
なお、演奏情報の組の「ループ」に楽音波形データをループ読み出しすることを示すデータが記憶されている場合には、その演奏情報の組の「エンド・ポイント」まで読み出しを終えたときには、その楽音波形データの読み出し位置をその演奏情報の組の「ループ・ポイント」の位置に移動する。
【００９４】
そして、パッド演奏モードにおいては、その他の操作子群３８の操作によって演奏情報メモリ１６の記憶内容を編集することができるようになされている。
【００９５】
まず、編集項目としては、「消去」、「時間削除」、「複写」および「挿入」が設けられている。
【００９６】
「消去」は、演奏情報により楽音波形データの読み出しを指示されることによって発生される楽音の任意に指定した範囲を消去する、即ち、演奏情報により読み出しの指示される楽音波形データの任意に指定した範囲を読み出さないようにするものである。
【００９７】
ここで、特定の演奏情報の組を指定して、その演奏情報の組を「消去」するときには、指定した演奏情報の組が演奏情報メモリ１６から消去され、消去された演奏情報の後方にあった全ての演奏情報の組が１つづつ前に移動されて詰められることになる。これにより、消去された演奏情報により読み出されていた楽音波形データを読み出さなくすることができる。
【００９８】
また「消去」により演奏中の任意の２つの時刻を指定し、その時刻に挟まれた時刻で読み出されていた楽音波形データを読み出さなくすることもできる。さらに、この場合には、読み出さなくする範囲を演奏情報の途中に指定することもできる。
【００９９】
以下に、図７（ａ）（ｂ）を参照しながら、図７（ａ）に示す演奏情報１により読み出しの指示される楽音波形データの途中部分を読み出さなくする、即ち、「消去」する例について説明する。
【０１００】
まず、演奏情報１は、「読出開始時刻」としての読出開始時刻１から楽音波形データの読み出しを開始し、「読出持続時間」としての読出持続時間１で規定される時間までの間、その楽音波形データをループ読み出しさせるものとする。また、演奏情報１で読み出しの指示される楽音波形データについての「スタート・ポイント」をＳ・Ｐ＿１として示し、「ループ・ポイント」をＬ・Ｐ＿１として示し、「エンド・ポイント」をＥ・Ｐ＿１として示す。
【０１０１】
ここでは、この演奏情報１で読み出しの指示される楽音波形データについて、その他の操作子群３８の操作によって任意の取出開始時刻および取出停止時刻を指定し、これら取出開始時刻および取出停止時刻で指定された範囲の楽音波形データを読み出さないようにする場合について説明する。
【０１０２】
この場合には、図７（ａ）に示す演奏情報１を、図７（ｂ）に示す演奏情報１’および演奏情報１’’の２つの演奏情報に分割することになる。この際に、演奏情報１のデータのうちの「読出持続時間」を、取出開始時刻で楽音波形データの読み出しが終了するように変更した読出持続時間１’としたものを演奏情報１’とする。また、演奏情報１のデータのうちの「読出開始時刻」を、取出停止時刻から楽音波形データの読み出しを開始するように変更した読出開始時刻１’’とし、演奏情報１のデータのうちの「読出持続時間」を、演奏情報１の読出開始時刻１および読出持続時間１により定まる読出終了時刻に楽音波形データの読み出しが終了するように変更した読出持続時間１’’とし、さらに演奏情報１のデータのうちの「スタート・ポイント」を、演奏情報１により読み出される楽音波形データの取出停止時刻における読み出し位置となるように変更したＳ・Ｐ＿１’’としたものを演奏情報１’’とする。
【０１０３】
このときのスタート・ポイントＳ・Ｐ＿１’’は、下記の演算式により求められる。
【０１０４】
Ｓ・Ｐ＿１’’＝Ｌ・Ｐ＿１＋［（取出停止時刻−読出開始時刻１）−（Ｅ・Ｐ＿１−Ｓ・Ｐ＿１）−（Ｅ・Ｐ＿１−Ｌ・Ｐ＿１）×ｋ］
ただし、上記した演算式におけるｋは、下記の演算式による演算結果Ｋの整数部分である。
【０１０５】
Ｋ＝［（取出停止時刻−読出開始時刻１）−（Ｅ・Ｐ＿１−Ｓ・Ｐ＿１）］／（Ｅ・Ｐ＿１−Ｌ・Ｐ＿１）
そして演奏情報１の代わりに演奏情報１’を記憶し、演奏情報１よりも後に記憶されていた演奏情報を１つづつ後ろにずらし、空いた個所に演奏情報１’’を記憶すればよい。
【０１０６】
次に、「時間削除」は、演奏情報により楽音波形データの読み出しを指示されることによって発生される楽音の任意に指定した範囲を削除するものである。即ち、演奏情報により読み出しの指示される楽音波形データの任意に指定した範囲を削除し、削除した範囲の後の部分を削除した範囲の前の部分に接続するものである。
【０１０７】
ここで、演奏情報の組を指定して、その演奏情報の組を「時間削除」するときには、指定した演奏情報の組が演奏情報メモリ１６から消去され、消去された演奏情報の組の後方にあった全ての演奏情報の組の「読出開始時刻」が、消去された演奏情報の組の「読出持続時間」の分だけ前にずらされた後に１つづつ前に移動され詰められる。これにより、例えば、楽音が録音されたテープの一部分を切り取り、切り取った前後のテープを張り合わせたのと同様の効果が得られるものである。
【０１０８】
また、「消去」の場合と同様に、「時間削除」により演奏中の任意の２つの時刻を指定し、その時刻に挟まれた時刻で読み出されていた楽音波形を読み出さなくし、その前後をつなぐこともできる。そして、この場合には、「消去」の場合と同様に演奏情報を２つに分けることになる。
【０１０９】
ただし、「時間削除」の場合には「消去」の場合と異なり、演奏情報１’’の読出開始時刻１’’を取出開始時刻に合わせ、またそれよりも後の演奏情報の「読出開始時刻」をそれぞれ「時間削除」された時間だけ前にずらすようにすることになる。
【０１１０】
次に、「複写」は、演奏情報により楽音波形データの読み出しを指示されることによって発生される楽音の任意に指定した範囲を別の時刻でも発生されるようにする、即ち、演奏情報により読み出しの指示される楽音波形データの任意に指定した範囲を別の時刻でも読み出されるようにするものである。
【０１１１】
ここで、演奏情報の組を指定して、その演奏情報の組を「複写」するときには、指定した演奏情報の組と同じ演奏情報の組が、演奏情報メモリ１６上の指定された時刻の位置に上書き記憶される。なお、このとき、「読出開始時刻」は指定された時刻となる。
【０１１２】
また、「消去」の場合と同様に、「複写」により演奏中の任意の２つの時刻を指定し、その時刻に挟まれた時刻で読み出されていた楽音波形を別の時刻で読み出すようにすることもできる。
【０１１３】
以下に、図８（ａ）（ｂ）を参照しながら、図８（ａ）に示す演奏情報１により読み出しの指示される楽音波形データの途中部分を別の時刻で読み出すようにする、即ち、「複写」する例について説明する。
【０１１４】
図７（ａ）の場合と同様に、図８（ａ）に示す演奏情報１は、「読出開始時刻」としての読出開始時刻１から楽音波形データの読み出しを開始し、「読出持続時間」としての読出持続時間１で規定される時間までの間、その楽音波形データをループ読み出しさせるものとする。また、演奏情報１で読み出しの指示される楽音波形データについての「スタート・ポイント」をＳ・Ｐ＿１として示し、「ループ・ポイント」をＬ・Ｐ＿１として示し、「エンド・ポイント」をＥ・Ｐ＿１として示す。
【０１１５】
ここでは、この演奏情報１で読み出しの指示される楽音波形データについて、その他の操作子群３８の操作によって任意の取出開始時刻および取出停止時刻を指定し、これら取出開始時刻および取出停止時刻で指定された範囲の楽音波形データを読み出すことを指示する演奏情報２（図８（ｂ））を、その他の操作子群３８の操作によって任意に指定された別の時刻で再生するように記憶する場合について説明する。
【０１１６】
この場合には、まず、取出開始時刻ならびに取出停止時刻を指定することにより、新たに取り出される楽音波形データの「スタート・ポイント」たるＳ・Ｐ＿２、「ループ・ポイント」たるＬ・Ｐ＿２、「エンド・ポイント」たるＥ・Ｐ＿２）ならびに「読出持続時間」たる読出持続時間２は、それぞれ、下記の演算式により求められる。
【０１１７】
Ｓ・Ｐ＿２＝Ｌ・Ｐ＿１＋［（取出開始時刻−読出開始時刻１）−（Ｅ・Ｐ＿１−Ｓ・Ｐ＿１）−（Ｅ・Ｐ＿１−Ｌ・Ｐ＿１）×ｋ］
Ｌ・Ｐ＿２＝Ｌ・Ｐ＿１
Ｅ・Ｐ＿２＝Ｅ・Ｐ＿１
読出持続時間２＝取出停止時刻−取出開始時刻
ただし、上記した演算式におけるｋは、下記の演算式による演算結果Ｋの整数部分である。
【０１１８】
Ｋ＝［（取出開始時刻−読出開始時刻１）−（Ｅ・Ｐ＿１−Ｓ・Ｐ＿１）］／（Ｅ・Ｐ＿１−Ｌ・Ｐ＿１）
そして、この演奏情報２の読出開始時刻２をその他の操作子群３８の操作によって任意の時刻として指定し、演奏情報メモリ１６の「読出開始時刻」が読出開始時刻２を挟む２つの演奏情報を検出し、検出した演奏情報のうちの後の演奏情報から以降の演奏情報を１つづつ後ろにずらし、空いた個所に演奏情報２を記憶するものである。
【０１１９】
なお、このとき検出した演奏情報のうち前の演奏情報の「読出開始時刻」および「読出持続時間」で定まる読出停止時刻が、演奏情報２の「読出開始時刻」たる読出開始時刻２よりも後の場合には、当該検出した演奏情報のうち前の演奏情報の読出停止時刻が演奏情報２の読出開始時刻２に合うように、当該検出した演奏情報のうち前の演奏情報の「読出持続時間」を調整するとともに、このとき検出した演奏情報のうち後ろの演奏情報の「読出開始時刻」が、演奏情報２の「読出開始時刻」および「読出持続時間」で定まる読出停止時刻よりも前の場合には、当該検出した演奏情報のうち後ろの演奏情報の「読出開始時刻」が演奏情報２の読出停止時刻に合うように、当該検出した演奏情報のうち後ろの演奏情報の「読出開始時刻」を調整し、さらに演奏情報２が「複写」される前に演奏情報２の読出停止時刻において当該検出した演奏情報のうち後ろの演奏情報により読み出されていた楽音波形データの位置をこの後ろの演奏情報の「スタート・ポイント」に設定する。
【０１２０】
次に、「挿入」は、「複写」と類似しているが、複写先の位置で複写前に読み出されることが予定されていた楽音波形データが、複写の時間の分だけ後ろにずれて読み出されるようになされている点で「複写」と異なる。
【０１２１】
そして、この電子楽器においては、演奏情報メモリ１６の記憶内容を編集することを指示されると、第１の編集モードにおいては、操作パネル２０の画面表示器４０に図３に示すような演奏情報メモリ１６の記憶内容が表示される。そこで、使用者は、画面表示器４０の画面表示を見ながら編集対象の演奏情報の組を指定する。このとき、１つの演奏情報の組を指定することもできるし、連続する複数の演奏情報の組を指定することもできるものであり、その後に、いずれかの編集項目を実行することにより編集が行なわれる。
【０１２２】
また、この電子楽器においては、演奏情報メモリ１６の記憶内容を編集することを指示されると、第２の編集モードにおいては、操作パネル２０の画面表示器４０に図７ならびに図８に示すような演奏情報メモリ１６の記憶内容が表示される。そこで、使用者は、画面表示器４０の画面表示を見ながらその他の操作子群３８の操作により取出開始時刻および取出停止時刻を任意に指定する。その後に、いずれかの編集項目を実行することにより編集が行なわれる。
【０１２３】
そして、この電子楽器においては、パッド３０の押圧により楽音波形データの読み出しが指示される毎に、当該読み出しを指示された楽音波形データの読み出しに関するデータ（「楽音波形データ」、「スタート・ポイント」、「ループ・ポイント」、「エンド・ポイント」、「ループ」、「読出開始時刻」ならびに「読出持続時間」）が演奏情報の組としてそれぞれ記憶される。
【０１２４】
このため、パッド３０の操作により演奏情報を記憶した後に、パッド演奏によって以前とは異なる楽音波形データを読み出せるように当該パッド３０に以前とは異なる楽音波形データを対応付けたとしても、演奏情報を再生したときには演奏情報の記憶時と同じ楽音波形データが読み出され、演奏情報の記憶時と再生時とで一貫性を保つことができる。
【０１２５】
また、演奏情報の記憶後に楽音波形データに設定されている楽音波形データの読み出し態様を決定する設定を変更しても、演奏情報の再生時には演奏情報の記憶時に設定されていた楽音波形データの読み出し態様に基づいて楽音波形データが読み出され、演奏情報の記憶時と再生時とで一貫性を保つことができる。
【０１２６】
例えば、パッド３０の操作により演奏情報を記憶した後に、パッド演奏によって以前とは異なる位置から楽音波形データを読み出し始めるように当該パッド３０に対応付けられている楽音波形データのスタート・ポイントを変更したとしても、演奏情報を再生したときには演奏情報の記憶時と同じ位置から楽音波形データが読み出し始められる。
【０１２７】
同様に、パッド３０の操作により演奏情報を記憶した後に、パッド演奏によって以前とは異なる区間で楽音波形データのループ読み出しを行なうように当該パッド３０に対応付けられている楽音波形データのループ・ポイント、エンド・ポイントを変更したとしても、演奏情報を再生したときには演奏情報の記憶時と同じ区間で楽音波形データのループ読み出しが行われる。
【０１２８】
また、同様に、パッド３０の操作により演奏情報を記憶した後に、パッド演奏によって今までループ読み出しを行なっていたのをループ読み出しを行わないようにしたり、あるいは今までループ読み出しを行っていなかったのをループ読み出しを行なうようにするために、当該パッド３０に対応付けられている楽音波形データのループ読み出しを行なうか否かの設定を変更したとしても、演奏情報を再生したときには、演奏情報の記憶時にループ読み出しを行なっていればループ読み出しを行ない、演奏情報の記憶時にループ読み出しを行なっていなければループ読み出しを行わずに楽音波形データが読み出される。
【０１２９】
さらに、ループ読み出しの際における一連の繰り返しのなかの一部分に関する演奏情報の編集を行なうことができる。
【０１３０】
なお、上記した実施の形態は、以下に示すように変形してもよい。
【０１３１】
（１）上記した実施の形態においては、楽音波形データの読み出し停止タイミングは演奏情報の組の「読出開始時刻」および「読出持続時間」により定まるようになされているが、これに限られることなしに、「読出持続時間」に代えて、それ単独で読み出し停止タイミングを示す「読出停止時刻」を設けるようにしてもよい。この場合、楽音波形データの読み出し開始を指示する演奏情報と読み出し停止を指示する演奏情報とを別々に定義するようにしてもよい。
【０１３２】
また、上記した実施の形態においては、「読出開始時刻」のように全ての演奏情報に共通の所定の時刻を基準として、その基準からの経過時間に基づいてタイミングを規定するようにしたが、これに限られることなしに、各演奏情報の組の時間差に基づいてタイミングを規定するようにしてもよい。例えば、「読出開始時刻」に代えて、直前の演奏情報の組からの時間差を示す「時間差」を設けるようにしてもよい。
【０１３３】
また、上記した実施の形態においては、演奏情報の時間管理の精度については特に明記していないが、固定の値、例えば、１ミリ秒を最小単位として時間管理するようにしてもよいし、指定する演奏テンポに応じた時間間隔、例えば、４分音符の９６分の１を最小単位として時間管理をするようにしてもよい。指定する演奏テンポに応じた時間間隔で時間管理をするようにした場合には、指定する演奏テンポに応じて時間管理の精度が変化することになる。
【０１３４】
要するに、本発明においては、演奏情報によって楽音波形データを読み出し開始するタイミングと楽音波形データを読み出し停止するタイミングとが規定されれば、どのような管理の方法を採用してもよいものである。
【０１３５】
（２）上記した実施の形態においては、一度に１つの楽音波形データのみを読み出し可能としたが、これに限られることなしに、一度に複数の楽音波形データを読み出し可能としてもよい。
【０１３６】
また、上記した実施の形態においては、従来の自動演奏装置に例えるならば１トラック分の演奏情報のみを記憶／再生するようにしているが、これに限られることなしに、複数トラック分の演奏情報を記憶／再生するようにしてもよい。
【０１３７】
（３）上記した実施の形態においては、ループ読み出しを行なうときに、エンド・ポイントからループ・ポイントに戻るようにしたが、これに代えて、ループ・ポイントを設けずにスタート・ポイントに戻るようにしてもよい。あるいは、ループ・ポイントを設けるようにするが、ループ・ポイントとスタート・ポイントとのいずれに戻るかを設定できるようにしてもよい。
【０１３８】
また、上記した実施の形態においては、楽音波形データにスタート・ポイン卜とエンド・ポイントとを設定することにより、楽音波形データの途中から読み出しを始め、途中までで読み出しを停止することが可能であるが、スタート・ポイントとエンド・ポイントとを設定せずに、楽音波形データの先頭から読み出しを開始し、楽音波形データの末尾で読み出しを停止するようにしてもよい。
【０１３９】
要するに、ループ読み出しを行なうものであるならば、本発明を適用することができるものである。
【０１４０】
（４）演奏情報の編集を行なう際に、演奏情報を図形表示するようにしてもよい。例えば、演奏の進行に伴う時間経過を横軸に取り、各演奏情報の組を、その読出開始時刻に対応する横軸の位置に先頭を位置させるとともに、その読出持続時間に対応する長さ延長した図形として表示する。このときループ読み出しでない通常の読み出しによる演奏情報の組とループ読み出しによる演奏情報の組とを明確に区別して表示するようにし、どの演奏情報の組が繰り返し読み出しによるものかを容易に判別できるようにしてもよい。
【０１４１】
（５）上記した実施の形態においては、パッド演奏モード、即ち、演奏情報の記憶および再生を止めた状態でのみ編集対象の演奏情報を指定するようにしたが、これに限られることなしに、演奏情報の再生中、即ち、編集対象としたい楽音波形データの読み出しが行なわれているときに、所定の指定操作をすることにより読み出し中の楽音波形データにかかる演奏情報を編集対象として指定するようにしてもよい。
【０１４２】
（６）上記した実施の形態においては、楽音波形データをループ読み出しすることにより、様々な楽器をある程度の時間（例えば、ある楽曲の２小節分の時間）にわたって演奏して得られた楽器音たるフレーズを繰り返し発生することができるようにしたが、様々な楽器音をある程度の時間（例えば、ある楽曲の２小節分の時間）にわたって鳴らすことを順次指示する自動演奏データを繰り返し再生することによりフレーズを繰り返し発生する場合に、本発明を適用してもよいことは勿論である。この場合には、各パッド３０毎に異なる自動演奏データを割り当てておき、パッド３０の操作に応じて対応する自動演奏データを再生し、再生された自動演奏データに基づいて楽音を再生するようにする。そして、自動演奏データをループ再生することを指定した場合には、パッド３０の操作により自動演奏データの再生が指定されている間に当該自動演奏データの末尾まで再生を行うと、その時点で当該自動演奏データの先頭などの所定の繰り返し位置に戻って再生を続行するようにすればよい。
【０１４３】
記憶モードでは、いずれの自動演奏データを再生するか、自動演奏データ中の再生開始位置、自動演奏データの繰り返し時の繰り返し位置、自動演奏データの縁り返し時の末尾位置、自動演奏データを繰り返し再生するか否か、自動演奏データの再生開始タイミング、再生停止タイミングを指示する情報を演奏情報として記憶するようにする。
【０１４４】
（７）上記した実施の形態においては、１つの装置の中に、楽音あるいは楽音列の生成開始指示ならびに楽音あるいは楽音列の生成停止指示を入力する入力手段としてのパッド３０と、演奏情報を記憶する手段としての演奏情報メモリとを設けるようにしたが、これに限られるものではないことは勿論であり、これらを別々の装置として構成してＭＩＤＩなどの通信手段を介して接続するようにしてもよい。
【０１４５】
（８）上記した実施の形態においては、波形メモリ１８に新たな楽音波形データを記憶することに関しては特に説明しなかったが、楽音波形データを外部から入力して波形メモリ１８に記憶するようにしてもよい。このとき、外部から楽音波形データを入力するために、アナログ／デジタル変換器を設け、アナログ信号の楽音波形をアナログ／デジタル変換器によりデジタル信号に変換して、ＣＰＵ１０の制御のもとに波形メモリ１８に記憶したり、あるいは、外部機器との間でデジタル・データのやり取りを行なうインターフェースを設け、デジタル信号の楽音波形データをＣＰＵ１０の制御のもとに波形メモリ１８に記憶したりすることが考えられる。
【０１４６】
後者の場合には、インターフエースを介して外部機器との間で楽音波形データのみならず演奏情報もやり取りし、外部から入力された演奏情報を演奏情報メモリ１６に記憶するようにしてもよい。この場合に、外部から演奏情報が入力されたときに、自動的にその演奏情報の内容を調査して読み出しが指定されている楽音波形データを把握し、その楽音波形データも外部機器から転送させて波形メモリ１８に記憶するようにしてもよい。このようにすれば、外部機器に設定されている演奏情報を取り込むときに、その演奏情報の使用しようとする楽音波形データも演奏情報に付随して自動的に取り込まれるため、情報の取り込みに関する操作が簡単になるとともに、取り込んだ演奏情報を再生するときにその演奏情報の指定する楽音波形データを間違いなく読み出すことができるようになる。
【０１４７】
なお、このように外部機器から取り込んだ楽音波形データを任意のパッド３０に対応付け、パッド３０の操作によって取り込んだ楽音波形データの読み出しを行なえるようにしてもよい。例えば、演奏情報の編集と同様の手順で任意の演奏情報の組を指定するとともに、任意のパッド３０を操作することによりパッド３０を指定し、指定された演奏情報の組において読み出すことが示されている楽音波形データを指定したパッド３０に割り当てるようにすればよい。
【０１４８】
（９）上記した実施の形態においては、パッド３０の操作に基づく情報を演奏情報としたが、演奏情報としてはこれに限られないものであることは勿論である。
【０１４９】
例えば、鍵盤の演奏に基づく情報を演奏情報としてもよいし、また、パッド３０や鍵盤などの演奏操作によらず、楽音波形データの読み出し開始タイミングおよび読み出し停止タイミングを演奏者が数値を指定して入力したものを演奏情報としてもよい。
【０１５０】
（１０）上記した実施の形態ならびに上記（１）〜（９）において説明した各種の変形例は、それぞれ適宜組み合せることが可能であることは勿論である。
【０１５１】
【発明の効果】
本発明は、以上説明したように構成されているので、演奏情報を記憶した後に楽音波形データの読み出し態様の設定や演奏用の操作子と楽音波形データとの対応関係の設定を変更しても、演奏情報の再生時に、記憶時と同じ態様で同じ楽音波形データの読み出しを行うことが可能となり、演奏情報の記憶時と再生時とにおいて一貫性を保つことができるという優れた効果を奏する。
【図面の簡単な説明】
【図１】本発明による電子楽器の全体構成を表すブロック構成図である。
【図２】楽音波形データについて設定されるスタート・ポイント、エンド・ポイントおよびループ・ポイントを概念的に示す説明図である。
【図３】演奏情報メモリの構成ならびに演奏情報の表示形態を示す説明図である。
【図４】パッド押圧（ＲＥＣ）ルーチンのフローチャートである。
【図５】エンド・ポイント到達（ＲＥＣ）ルーチンのフローチャートである。
【図６】パッド押圧解除（ＲＥＣ）ルーチンのフローチャートである。
【図７】編集における「消去」の処理ならびに演奏情報の表示形態を示す説明図であり、（ａ）は「消去」される前の状態を示し、（ｂ）は「消去」された後の状態を示す。
【図８】編集における「複写」の処理ならびに演奏情報の表示形態を示す説明図であり、（ａ）は「複写」する対象となる部分を含む演奏情報を示し、（ｂ）は「複写」する部分の演奏情報を示す。
【符号の説明】
１０          中央処理装置（ＣＰＵ）
１２          プログラム・メモリ
１４          ワーキング・メモリ
１６          演奏情報メモリ
１８          波形メモリ
２０          操作パネル
２２          デジタル／アナログ（Ｄ／Ａ）変換器
３０          パッド
３２          記憶（ＲＥＣ）操作子
３４          再生（ＰＬＡＹ）操作子
３６          停止（ＳＴＯＰ）操作子
３８          その他の操作子群
４０          画面表示器
【図１】
0003980751.tif 000002
【図２】
0003980751.tif 000003
【図３】
0003980751.tif 000004
【図４】
0003980751.tif 000005
【図５】
0003980751.tif 000006
【図６】
0003980751.tif 000007
【図７】
0003980751.tif 000008
【図８】
0003980751.tif 000009